(57)【特許請求の範囲】
【請求項１】
下端に粒状材料の送出口（１４）を有し材料タンク等から送給された粒状材料を一旦貯蔵し前記送出口（１４）から開閉弁（１２）を介し粒状材料を送出する貯蔵ホッパ（１０）と、
射出成形機（２２）に接続され射出に必要な量の粒状材料を供給する供給ホッパ（１６）と、
前記開閉弁（１２）から送出された粒状材料を前記供給ホッパ（１６）へ輸送する材料輸送管（２３）と、
前記材料輸送管（２３）内の圧力を感知し減圧になると前記開閉弁（１２）を開くと共に所定時間後にその開閉弁（１２）を閉じる弁開閉装置（１５）と、
前記供給ホッパ（１６）とは吸引配管（３４）により接続され前記供給ホッパ（１６）および前記材料輸送管（２３）の空気を前記吸引配管（３４）を介して吸引することにより前記貯蔵ホッパ（１０）内の粒状材料を吸引すると共に前記開閉弁（１２）が閉じてから所定時間後に吸引を停止する材料輸送装置（２４）とを、含むことを特徴とする粒状材料供給装置。
【発明の詳細な説明】
【０００１】
【発明の属する技術分野】
本発明は樹脂ペレット等の粒状材料の供給装置に関する。
【０００２】
【従来の技術】
図２は、従来から用いられている樹脂ペレット供給装置の概略構成図である。図２において、貯蔵ホッパ１０は、図示しない材料タンク、ホッパドライヤ、混合機などの材料供給源から供給される粒状材料を一旦貯蔵する。この貯蔵ホッパ１０の下端には、開閉弁１２を有する送出口１４が設けられ、弁開閉装置１５による開閉弁１２の開閉により、所望量の粒状材料が切り出される。
【０００３】
供給ホッパ１６は、上面は減圧室となるキャップ１８により密閉され、キャップ１８との間は、フィルタ２０で仕切られている。この供給ホッパ１６は、射出成形機２２の図示しない材料投入口若しくは射出シリンダ等に接続され、数回の射出に必要な量の粒状材料を供給するようになっている。また、供給ホッパ１６と貯蔵ホッパ１０とは開閉弁１２を介して材料輸送管２３により接続されている。
【０００４】
材料輸送装置２４は、内部に筒状のフィルタ２６を内蔵した集塵箱２８と、吸引ブロア３０と、輸送制御盤３２とから成る。集塵箱２８は、供給ホッパ１６のキャップ１８と吸引配管３４でつながれており、また吸引ブロア３０と集塵箱２８に内蔵されたフィルタ２６とは、排気管３６により接続されている。輸送制御盤３２は、貯蔵ホッパ１０に取り付けた弁開閉装置１５と制御線３８により接続されており、輸送制御盤３２からの開閉信号により、弁開閉装置１５が作動され、開閉弁１２が開閉される。
【０００５】
この従来の粒状材料の供給装置の作動を説明すると、輸送制御盤３２から吸引ブロア３０に吸引開始の信号が送られると、吸引ブロア３０が吸引を始めると同時に、制御線３８を介して弁開閉装置１５へ開閉弁１２の開成信号が送られ、開閉弁１２が開けられる。
【０００６】
吸引ブロア３０が作動すると、排気管３６により集塵箱２８内の空気が吸引される。集塵箱２８と供給ホッパ１６を密閉するキャップ１８は、吸引配管３４により接続されているので、供給ホッパ１６内の空気は集塵箱２８内へ吸い出される。
【０００７】
供給ホッパ１６と貯蔵ホッパ１０の開閉弁１２とは材料輸送管２３により接続されており、貯蔵ホッパ１０内の空気は開閉弁１２から材料輸送管２３内を流れて供給ホッパ１６内に流入する。そのため、この空気流により、貯蔵ホッパ１０内の粒状材料は、供給ホッパ１６へ材料輸送管２４により輸送される。
【０００８】
貯蔵ホッパ１０の開閉弁１２から所望の量の粒状材料が排出されたら、輸送制御盤３２から制御線３８を介して開閉弁１２の閉成信号が弁開閉装置１５へ送られる。この信号により弁開閉装置１５が作動し、開閉弁１２が閉じられ、貯蔵ホッパ１０からの粒状材料の供給は停止する。
【０００９】
貯蔵ホッパ１０の開閉弁が閉じた状態においては、貯蔵ホッパ１０から最後に排出した粒状材料は、まだ材料輸送管２３の中に残っている。そのため、吸引ブロア３０はさらに回転を続け、材料輸送管２３中に残存する粒状材料が全部供給ポッパ１６内に送り込まれた時点で、輸送制御盤３２からの停止信号により、吸引ブロア３０が停止する。
【００１０】
【発明が解決しようとする課題】
このように、従来の樹脂ペレット等の供給装置では、輸送制御盤３２により貯蔵ホッパ１０の開閉弁１２を開閉するため、弁開閉装置１５と輸送制御盤３２との間を制御線３８で結線する必要があり、また輸送制御盤３２の制御プログラムも複雑とならざるを得ない。
【００１１】
本発明は、従来のプラスチックペレット等の粒状材料の供給装置に関する前記のごとき課題を解決するものであって、弁開閉装置１５と輸送制御盤３２との間を制御線３８で結線する必要がなく、また輸送制御盤３２の制御プログラムも簡略化できるプラスチックペレット等の粒状材料の供給装置を提供することを目的とする。
【００１２】
【課題を解決するための手段】
本発明の請求項１の粒状材料の供給装置は、下端に粒状材料の送出口（１４）を有し材料タンク等から送給された粒状材料を一旦貯蔵し前記送出口（１４）から開閉弁（１２）を介し粒状材料を送出する貯蔵ホッパ（１０）と、射出成形機（２２）に接続され射出に必要な量の粒状材料を供給する供給ホッパ（１６）と、前記開閉弁（１２）から送出された粒状材料を前記供給ホッパ（１６）へ輸送する材料輸送管（２３）と、前記材料輸送管（２３）内の圧力を感知し減圧になると前記開閉弁（１２）を開くと共に所定時間後にその開閉弁（１２）を閉じる弁開閉装置（１５）と、前記供給ホッパ（１６）とは吸引配管（３４）により接続され前記供給ホッパ（１６）および前記材料輸送管（２３）の空気を前記吸引配管（３４）を介して吸引することにより前記貯蔵ホッパ（１０）内の粒状材料を吸引すると共に前記開閉弁（１２）が閉じてから所定時間後に吸引を停止する材料輸送装置（２４）とを、含むことを特徴とする。
【００１３】
【作用】
供給ホッパ１６と貯蔵ホッパ１０の開閉弁１２とは材料輸送管２３により接続されていることから、材料輸送装置２４によって吸引配管３４を介して吸引すると材料輸送管２３内の空気が減圧となる。弁開閉装置１５は、材料輸送管２３内の圧力変動を感知し減圧になると開閉弁１２を開くと共に、所定時間後にその開閉弁１２を閉じるので、貯蔵ホッパ１０から所望量の粒状材料を排出させることができる。
【００１４】
貯蔵ホッパ１０の開閉弁１２が閉じた状態においては、貯蔵ホッパ１０から最後に排出した粒状材料は、まだ材料輸送管２３の中に残っているが、材料輸送装置２４は開閉弁１２が閉じてから所定時間後に吸引を停止するので、材料輸送管２３中に残存する粒状材料を全部供給ポッパ１６内に送り込むことができる。
【００１５】
【発明の実施の態様】
本発明の好適な実施の態様を以下図面に従って説明する。図１は、本発明の粒状材料供給装置の概略構成図である。図１において、貯蔵ホッパ１０は、図示しない材料タンク、ホッパドライヤ、混合機などの材料供給源から供給される粒状材料を一旦貯蔵する。この貯蔵ホッパ１０の下端には、開閉弁１２を有する送出口１４が設けられ、この開閉弁１２は弁開閉装置１５により開閉されることにより、所望量の粒状材料が切り出される。また、弁開閉装置１５は、材料輸送管２３内の圧力を感知する圧力スイッチ１７と、タイマー１９が取り付けられており、材料輸送管２３内の圧力が減圧になると、圧力スイッチ１７が作動し、同時にタイマー１９がセットされるようになっている。
【００１６】
供給ホッパ１６は、上面は減圧室となるキャップ１８により密閉され、キャップ１８との間は、フィルタ２０で仕切られている。この供給ホッパ１６は、射出成形機２２の図示しない材料投入口若しくは射出シリンダ等に接続され、数回の射出に必要な量の粒状材料を供給するようになっている。また、供給ホッパ１６と貯蔵ホッパ１０とは開閉弁１２を介して材料輸送管２３により接続されている。
【００１７】
材料輸送装置２４は、内部に筒状のフィルタ２６を内蔵した集塵箱２８と、吸引ブロア３０と、輸送制御盤３２とから成る。集塵箱２８は、供給ホッパ１６のキャップ１８と吸引配管３４でつながれており、また吸引ブロア３０と集塵箱２８に内蔵されたフィルタ２６とは、排気管３６により接続されている。
【００１８】
以上に説明した本発明の粒状材料の供給装置の作動を説明すると、輸送制御盤３２から吸引ブロア３０に吸引開始の信号が送られると、吸引ブロア３０が吸引を始める。なお、輸送制御盤３２のプログラムは、所望量の粒状材料が貯蔵ホッパ１０から送出され開閉弁１２が閉じられて後、材料輸送管２３中に残存する粒状材料が全部供給ポッパ１６内に送り込まれたら吸引ブロア３０が停止するように予め設定される。
【００１９】
吸引ブロア３０が作動すると、排気管３６により集塵箱２８内の空気が吸引される。集塵箱２８と供給ホッパ１６を密閉するキャップ１８は、吸引配管３４により接続されているので、供給ホッパ１６内の空気は集塵箱２８内へ吸い出される。
【００２０】
供給ホッパ１６と貯蔵ホッパ１０の開閉弁１２とは材料輸送管２３により接続されており、吸引ブロア３０の作動により、材料輸送管２３内の空気は減圧となるので、圧力スイッチ１７が作動し、開閉弁１２が開かれ、同時にタイマー１９がセットされる。また、貯蔵ホッパ１０内の空気は開閉弁１２から材料輸送管２３内を流れて供給ホッパ１６内に流入する。そのため、この空気流により、貯蔵ホッパ１０内の粒状材料は、供給ホッパ１６へ材料輸送管２３により輸送される。
【００２１】
貯蔵ホッパ１０の開閉弁１２から所望の量の粒状材料が送出されたら、弁開閉装置１５のタイマー１９が作動し、開閉弁１２が閉じられ、貯蔵ホッパ１０からの粒状材料の供給は停止する。
【００２２】
貯蔵ホッパ１０の開閉弁が閉じた状態においては、貯蔵ホッパ１０から最後に排出した粒状材料は、まだ材料輸送管２３の中に残っている。吸引ブロア３０はさらに回転を続け、材料輸送管２３中に残存する粒状材料が全部供給ポッパ１６内に送り込まれたら吸引ブロワ３０が停止するように予め設定されているので、輸送制御盤３２からの停止信号により、吸引ブロア３０が停止する。
【００２３】
【発明の効果】
本発明の粒状材料供給装置は、粒状材料を一旦貯蔵する貯蔵ホッパの開閉弁を作動する弁開閉装置に、材料輸送管内の圧力を感知する圧力スイッチと、タイマーを取り付けたので、材料輸送管内の圧力が減圧になると、圧力スイッチが作動し開閉弁が開かれ、同時に所望量の粒状材料が送出されたら開閉弁が閉まるようにタイマーがセットされる。そのため、弁開閉装置と輸送制御盤との間を制御線で結線する必要がなく、また輸送制御盤の制御プログラムも簡略化できる。
【図面の簡単な説明】
【図１】本発明の粒状材料供給装置の概略構成図である。
【図２】従来から用いられている樹脂ペレット供給装置の概略構成図である。
【符号の説明】
１０・・・・・貯蔵ホッパ
１２・・・・・開閉弁
１４・・・・・送出口
１５・・・・・弁開閉装置
１６・・・・・供給ホッパ
１７・・・・・圧力スイッチ
１８・・・・・キャップ
１９・・・・・タイマー
２０・・・・・供給ホッパのフィルタ
２２・・・・・射出成型機
２３・・・・・材料輸送管
２４・・・・・材料輸送装置
２６・・・・・リザーバのフィルタ
２８・・・・・集塵箱
３０・・・・・吸引ブロア
３２・・・・・輸送制御板
３４・・・・・吸引配管
３６・・・・・排気管
３８・・・・・制御線
【図１】
0004614525.tif 000002
【図２】
0004614525.tif 000003